(57)【要約】【課題】制御対象の乗客コンベアを、迅速に特定できる乗客コンベアの運転管理装置の提供。【解決手段】乗客コンベアＡ，Ｂを撮影するカメラ４Ａ，４Ｂと、乗客コンベアＡ，Ｂから離れた位置に配置されるモニタ７と、乗客コンベアＡ，Ｂを遠隔操作可能な遠隔運転制御装置５とを備えるとともに、モニタ７に映される乗客コンベアＡ，Ｂに係る複数の映像画面のうちの特定画面の選択によって、該当する特定画面に映されている乗客コンベアを制御対象の乗客コンベアとして抽出させる抽出手段と、この抽出手段によって抽出された制御対象の乗客コンベアを、この制御対象の乗客コンベアに関連する特定表示を有する映像、例えば乗客コンベア照明装置３Ａ等の点滅の映像によってモニタ７の画面上で確認させる確認手段とを備えた構成にしてある。【選択図】図１
2007070061.tif 000002
【特許請求の範囲】
【請求項１】
複数の乗客コンベアのそれぞれに設けられ、該当する乗客コンベアの運転を制御する乗客コンベア運転制御装置と、上記乗客コンベアのそれぞれに対応して設けられ、該当する乗客コンベアを撮影し、映像信号を出力可能なカメラと、上記複数の乗客コンベアから離れた場所に設置され、上記カメラそれぞれの上記映像信号に応じて該当する映像画面を表示可能なモニタと、上記映像信号のいずれかを選択的に切替えてモニタに出力可能なカメラ切替機と、制御対象の乗客コンベアを選択し、乗客コンベア選択信号を出力可能な乗客コンベア選択装置と、この乗客コンベア選択装置から出力された上記乗客コンベア選択信号に応じて該当する乗客コンベアの上記乗客コンベア運転制御装置に、該当する乗客コンベアを遠隔的に制御する操作信号を出力可能な遠隔運転制御装置とを備えるとともに、
上記モニタに映される上記乗客コンベアに係る複数の映像画面のうちの特定画面の選択によって、該当する特定画面に映されている乗客コンベアを制御対象の乗客コンベアとして抽出させる抽出手段と、この抽出手段によって抽出された制御対象の乗客コンベアを、この制御対象の乗客コンベアに関連する特定表示を有する映像によって上記モニタの映像画面上で確認させる確認手段とを備えたことを特徴とする乗客コンベアの運転管理装置。
【請求項２】
上記請求項１記載の発明において、
上記抽出手段が、
上記モニタに含まれ、このモニタに映された乗客コンベアの映像画面のうちの上記特定画面の選択によって該当する乗客コンベアを制御対象の乗客コンベアとして特定する抽出信号を出力可能な出力手段と、
上記カメラ切替機に含まれ、上記モニタの上記出力手段から出力された上記抽出信号を上記乗客コンベア選択装置に出力可能な出力手段と、
上記乗客コンベア選択装置に含まれ、上記抽出信号に相応する上記乗客コンベア選択信号を上記遠隔運転制御装置に出力可能な出力手段とを備え、
上記確認手段が、
上記カメラ切替機に含まれ、上記モニタの上記出力手段によって出力された抽出信号を上記遠隔運転制御装置に出力可能な出力手段と、
上記遠隔運転制御装置に含まれ、上記カメラ切替機の上記出力手段から出力された抽出信号に応じた表示信号を、上記抽出信号に相応する上記乗客コンベア選択信号に応じた乗客コンベアの上記乗客コンベア運転制御装置に出力可能な出力手段と、
上記乗客コンベア運転制御装置に含まれ、上記遠隔運転制御装置の上記出力手段から出力された上記表示信号に応じた表示用制御信号を出力可能な出力手段と、
上記複数の乗客コンベアのそれぞれに対応して設けられ、かつ、該当する上記カメラによる撮影が可能な位置に設けられ、上記乗客コンベア運転制御装置の上記出力手段から出力される上記表示用制御信号に応じて上記特定表示を行う表示手段とを備えたことを特徴とする乗客コンベアの運転管理装置。
【請求項３】
上記請求項２記載の発明において、
上記表示手段が、乗客コンベア照明装置、警告灯、及び乗客コンベアの運転状態の表示が可能な運転状態表示機のうちの少なくとも１つであることを特徴とする乗客コンベアの運転管理装置。
【発明の詳細な説明】
【技術分野】
【０００１】
本発明は、複数の乗客コンベアのそれぞれの運転を遠隔的に制御できる乗客コンベアの運転管理装置に関する。
【背景技術】
【０００２】
大型店舗などに設置される多数の乗客コンベアの運転操作は、あるいは乗客コンベアの設置位置から離れた場所に、その乗客コンベアの管理人室が配置されている場合の乗客コンベアの運転操作は、多大な労力を要する。
【０００３】
上述の運転操作には、起動操作、及び停止操作の他に、高齢者が多く使用する時間帯に限って実施される低速運転操作とか、省エネのために閑散時に実施される自動運転操作などが含まれる。
【０００４】
このようなことから、特許文献１に示されるように、乗客コンベアを映すカメラの映像をモニタで確認しながら、その乗客コンベアを遠隔的に例えば起動操作、及び停止操作するものが従来提案されている。この従来技術は、多数の乗客コンベアを、カメラを切替えることによりモニタの画面上にそれぞれ映し出し、制御対象の乗客コンベアの映像を見ながら、乗客がいないことを確認して、その制御対象の乗客コンベアの起動操作、及び停止操作を遠隔的に実施するものである。
【特許文献１】特開昭５１−１０５８４号公報
【発明の開示】
【発明が解決しようとする課題】
【０００５】
上述した特許文献１に示される従来技術では、モニタ画面に映されている乗客コンベアが制御対象の乗客コンベアに一致するものであるかどうかは、遠隔操作の実施によってモニタ画面に映されている乗客コンベアの運転状態が変化するまでは分からない。このために、制御対象の乗客コンベアの特定に時間がかかり、運転管理性能の向上を見込めない問題がある。また例えば、停止させなくてもよい乗客コンベアを、制御対象の乗客コンベアであると誤認して停止させてしまうなど、制御対象の乗客コンベアの誤認を生じる虞があり、信頼性の点で十分なものとは言えない。
【０００６】
本発明は、上述した従来技術における実状からなされたもので、その目的は、制御対象の乗客コンベアを、迅速に特定できる乗客コンベアの運転管理装置を提供することにある。
【０００７】
この目的を達成するために、本発明は、複数の乗客コンベアのそれぞれに設けられ、該当する乗客コンベアの運転を制御する乗客コンベア運転制御装置と、上記乗客コンベアのそれぞれに対応して設けられ、該当する乗客コンベアを撮影し、映像信号を出力可能なカメラと、上記複数の乗客コンベアから離れた場所に設置され、上記カメラそれぞれの上記映像信号に応じて該当する映像画面を表示可能なモニタと、上記映像信号のいずれかを選択的に切替えてモニタに出力可能なカメラ切替機と、制御対象の乗客コンベアを選択し、乗客コンベア選択信号を出力可能な乗客コンベア選択装置と、この乗客コンベア選択装置から出力された上記乗客コンベア選択信号に応じて該当する乗客コンベアの上記乗客コンベア運転制御装置に、該当する乗客コンベアを遠隔的に制御する操作信号を出力可能な遠隔運転制御装置とを備えるとともに、上記モニタに映される上記乗客コンベアに係る複数の映像画面のうちの特定画面の選択によって、該当する特定画面に映されている乗客コンベアを制御対象の乗客コンベアとして抽出させる抽出手段と、この抽出手段によって抽出された制御対象の乗客コンベアを、この制御対象の乗客コンベアに関連する特定表示を有する映像によって上記モニタの映像画面上で確認させる確認手段とを備えたことを特徴としている。
【０００８】
このように構成した本発明は、モニタに映される映像画面のうちの特定画面を選択すると、抽出手段によって制御対象の乗客コンベアが抽出され、この抽出された制御対象の乗客コンベアを、確認手段によって特定表示を有するモニタ画面の映像として確認できる。すなわち、制御対象の乗客コンベアを、モニタにおける特定画面の選択後、そのモニタ画面において特定表示によって迅速に特定することができる。このように制御対象の乗客コンベアを特定し、この乗客コンベアに乗客が乗っていないことをモニタの画面で確認した後、遠隔運転制御装置によって所定の遠隔操作がなされ、起動操作、停止操作等の操作信号が乗客コンベア運転制御装置に出力される。したがって、乗客コンベア運転制御装置によって、制御対象の乗客コンベアは該当する制御がなされる。
【０００９】
また、本発明は、上記発明において、上記抽出手段が、上記モニタに含まれ、このモニタに映された乗客コンベアの映像画面のうちの上記特定画面の選択によって該当する乗客コンベアを制御対象の乗客コンベアとして特定する抽出信号を出力可能な出力手段と、上記カメラ切替機に含まれ、上記モニタの上記出力手段から出力された上記抽出信号を上記乗客コンベア選択装置に出力可能な出力手段と、上記乗客コンベア選択装置に含まれ、上記抽出信号に相応する上記乗客コンベア選択信号を上記遠隔運転制御装置に出力可能な出力手段とを備え、上記確認手段が、上記カメラ切替機に含まれ、上記モニタの上記出力手段によって出力された抽出信号を上記遠隔運転制御装置に出力可能な出力手段と、上記遠隔運転制御装置に含まれ、上記カメラ切替機の上記出力手段から出力された抽出信号に応じた表示信号を、上記抽出信号に相応する上記乗客コンベア選択信号に応じた乗客コンベアの上記乗客コンベア運転制御装置に出力可能な出力手段と、上記乗客コンベア運転制御装置に含まれ、上記遠隔運転制御装置の上記出力手段から出力された上記表示信号に応じた表示用制御信号を出力可能な出力手段と、上記複数の乗客コンベアのそれぞれに対応して設けられ、かつ、該当する上記カメラによる撮影が可能な位置に設けられ、上記乗客コンベア運転制御装置の上記出力手段から出力される上記表示用制御信号に応じて上記特定表示を行う表示手段とを備えたことを特徴としている。
【００１０】
また、本発明は、上記発明において、上記表示手段が、乗客コンベア照明装置、警告灯、及び乗客コンベアの運転状態の表示が可能な運転状態表示機のうちの少なくとも１つであることを特徴としている。
【発明の効果】
【００１１】
本発明は、制御対象の乗客コンベアを迅速に特定でき、遠隔制御される乗客コンベアに対する運転管理性能を従来よりも向上させることができるとともに、制御対象の乗客コンベアの誤認を防止でき、従来に比べて精度の高い乗客コンベアの遠隔制御を実現させることができる。
【発明を実施するための最良の形態】
【００１２】
以下，本発明に係る乗客コンベアの運転管理装置を実施するための最良の形態を図に基づいて説明する。
【００１３】
図１は本発明に係る乗客コンベアの運転管理装置の第１実施形態の構成を示すブロック図である。
【００１４】
この図１に示す第１実施形態は、複数の乗客コンベアＡ，Ｂのそれぞれの運転を制御する乗客コンベア運転制御装置１Ａ，１Ｂと、乗客コンベアＡ，Ｂのそれぞれに対応して設けられ、該当する乗客コンベアＡ，Ｂを撮影し、映像信号を出力可能なカメラ４Ａ，４Ｂとを備えている。
【００１５】
なお、乗客コンベアＡ側には、乗客コンベア運転制御装置１Ａに接続された音声案内装置２Ａが備えられている。図示省略したが、乗客コンベアＢ側にも、乗客コンベア運転制御装置１Ｂに接続された音声案内装置が備えられている。
【００１６】
また、この第１実施形態は、乗客コンベアＡ，Ｂから離れた場所に設置され、カメラ４Ａ，４Ｂそれぞれの映像信号に応じて該当する映像画面を、例えば数秒間隔で順次個別に、あるいは分割画面として双方を表示可能なモニタ７と、映像信号のいずれかを選択的に切替えてモニタ７に出力可能なカメラ切替機８と、制御対象の乗客コンベアＡ，Ｂを選択し、乗客コンベア選択信号を出力可能な乗客コンベア選択装置９と、この乗客コンベア選択装置９から出力された上述の乗客コンベア選択信号に応じて該当する乗客コンベアＡ，Ｂの乗客コンベア運転制御装置１Ａ，１Ｂに、該当する乗客コンベアＡ，Ｂを遠隔的に制御する操作信号を通信手段６を介して出力可能な遠隔運転制御装置５とを備えている。
【００１７】
そして特に、この第１実施形態は、モニタ７に映される乗客コンベアＡ，Ｂに係る複数の映像画面のうちの特定画面の選択によって、該当する特定画面に映されている乗客コンベアを制御対象の乗客コンベアとして抽出させる抽出手段と、この抽出手段によって抽出された制御対象の乗客コンベアを、この制御対象の乗客コンベアに関連する特定表示を有する映像によってモニタ７の映像画面上で確認させる確認手段とを備えている。
【００１８】
上述した抽出手段は、例えば、モニタ７に含まれ、このモニタ７に映された乗客コンベアＡ，Ｂの映像画面のうちの特定画面の選択によって該当する乗客コンベアを制御対象の乗客コンベアとして特定する抽出信号を出力可能な出力手段７ａと、上述したカメラ切替機８に含まれ、モニタ７の出力手段７ａから出力された上述の抽出信号を乗客コンベア選択装置９に出力可能な出力手段８ａと、乗客コンベア選択装置９に含まれ、上述した抽出信号に相応する乗客コンベア選択信号を遠隔運転制御装置５に出力可能な出力手段９ａとを備えている。
【００１９】
上述した確認手段は、例えば、カメラ切替機８に含まれ、モニタ７の出力手段７ａによって出力された上述の抽出信号を遠隔運転制御装置５に出力可能な上述の出力手段８ａと、遠隔運転制御装置５に含まれ、カメラ切替機８の出力手段８ａから出力された抽出信号に応じた表示信号を、抽出信号に相応する乗客コンベア選択信号に応じた乗客コンベアの乗客コンベア運転制御装置に出力可能な出力手段５ａと、乗客コンベア運転制御装置１Ａ，１Ｂに含まれ、遠隔運転制御装置５の出力手段５ａから出力された上述の表示信号に応じた表示用制御信号を出力可能な出力手段１Ａａ，１Ｂａと、乗客コンベアＡ，Ｂのそれぞれに対応して設けられ、かつ、該当するカメラ４Ａ，４Ｂによる撮影が可能な位置に設けられ、乗客コンベア運転制御装置１Ａ，１Ｂの出力手段１Ａａ，１Ｂａから出力される表示用制御信号に応じて特定表示を行う表示手段、例えば乗客コンベアＡ，Ｂの欄干や、これらの乗客コンベアＡ，Ｂの直上の天井部に設けた乗客コンベア照明装置３Ａ等とを備えている。なお、乗客コンベアＢ側の乗客コンベア照明装置は図示を省略してある。
【００２０】
このように構成した第１実施形態は、カメラ４Ａ，４Ｂによる映像信号がカメラ切替機８を介してモニタ７に入力され、モニタ７の画面に例えば数秒間隔で順次個別に乗客コンベアＡ，Ｂの映像が映されている状態にあって、例えば乗客コンベアＡ，Ｂが停止している状態から起動させようとする場合、今仮に、制御対象の乗客コンベアが乗客コンベアＡであるとすると、モニタ７の画面上の乗客コンベアＡが選択される。これにより、モニタ７の画面は乗客コンベアＡの映像に固定される。
【００２１】
上述したモニタ７の画面上の乗客コンベアＡの選択により、モニタ７の出力手段７ａから乗客コンベアＡを抽出する抽出信号がカメラ切替機８に出力され、さらにこの抽出信号がカメラ切替機８の出力手段８ａから乗客コンベア選択装置９と遠隔運転制御装置５とに出力される。
【００２２】
上述の抽出信号に応じて乗客コンベア選択装置９の出力手段９ａから、乗客コンベアＡを選択する乗客コンベア選択信号が遠隔運転制御装置５に出力される。また、遠隔運転制御装置５の出力手段５ａから、上述の抽出信号に応じた表示信号が、上述の乗客コンベア選択信号に応じた該当する乗客コンベアＡの乗客コンベア運転制御装置１Ａに、通信手段６を介して出力される。
【００２３】
乗客コンベア運転制御装置１Ａの出力手段１Ａａからは、遠隔運転制御装置５の出力手段５ａから出力された上述の表示信号に応じた表示用制御信号が乗客コンベア照明装置３Ａに出力される。これにより、乗客コンベア照明装置３Ａは例えば点滅する。
【００２４】
このように乗客コンベアＡに対応して設けられた乗客コンベア照明装置３Ａが点滅している状態がカメラ４Ａで撮影され、その映像信号がカメラ切替機８を介してモニタ７に入力され、モニタ７の乗客コンベアＡの画面上でこの乗客コンベア照明装置３Ａの点滅を見ることができる。すなわち、モニタ７の画面に映されている乗客コンベアが制御対象の乗客コンベアＡであることを、モニタ７の画面上の乗客コンベア照明装置３Ａの点滅によって直ちに確認することができる。
【００２５】
モニタ７の画面上で制御対象の乗客コンベアＡが確認された後、さらに乗客コンベアＡに乗客が乗っていないことがモニタ７の画面上で確認され、この確認後に乗客コンベアＡの遠隔操作が実施される。すなわち今の場合は、遠隔運転制御装置５を操作して乗客コンベアＡを起動させる操作信号を乗客コンベア運転制御装置１Ａに出力させる遠隔操作が行われる。
【００２６】
これにより、乗客コンベア運転制御装置１Ａは、所定の制御により乗客コンベアＡを起動させる。乗客コンベアＡが起動された状態は、モニタ７の画面上で確認することができる。
【００２７】
モニタ７の画面上での確認後、固定されていた乗客コンベアＡのモニタ７の映像の固定を解除する場合には、例えばモニタ７の画面上で所定の操作を行えばよく、これによりモニタ７の画面に、以前のように例えば数秒間隔で順次個別に乗客コンベアＡ，Ｂの映像が表示される。
【００２８】
なお、例えば上述した乗客コンベアＡの起動に際して、停止している乗客コンベアＡの付近に人がいて、乗客コンベアＡに乗ろうとする姿がモニタ７の画面上で確認された場合には、遠隔運転制御装置５の遠隔操作によって乗客コンベア運転制御装置１Ａから音声案内装置２Ａに制御信号が出力され、この音声案内装置２Ａから乗客コンベアＡに乗ろうとする人に対して注意を喚起する音声案内が発せられる。
【００２９】
また、上記では制御対象の乗客コンベアを乗客コンベアＡとしたが、制御対象の乗客コンベアを乗客コンベアＢとする場合も同様にして、モニタ７の画面上で乗客コンベアＢに対応して設けた乗客コンベア照明装置の点滅を見ることができ、モニタ７の画面上の乗客コンベアが制御対象の乗客コンベアＢであることを直ちに確認できる。
【００３０】
このように構成した本実施形態によれば、上述のように、モニタ７に映される映像画面のうちの特定画面を選択すると、制御対象の乗客コンベアが抽出され、この抽出された制御対象の乗客コンベアを、特定表示、すなわち乗客コンベア照明装置３Ａ等の点滅が映されたモニタ７の画面の映像として確認できる。すなわち、制御対象の乗客コンベアを、モニタ７における特定画面の選択後、そのモニタ７の画面において乗客コンベア照明装置３Ａ等の点滅によって迅速に特定することができる。これによって、遠隔制御される乗客コンベアに対する運転管理性能を向上させることができるとともに、制御対象の乗客コンベアの誤認を防止でき、精度の高い乗客コンベアの遠隔制御を実現させることができる。
【００３１】
図２は本発明の第２実施形態の構成を示すブロック図、図３は本発明の第３実施形態の構成を示すブロック図である。
【００３２】
これらの図２，３に示す第２，３実施形態は、乗客コンベアＡ，Ｂに対応して設けられ、かつ、該当するカメラ４Ａ，４Ｂによる撮影が可能な位置に設けられ、乗客コンベア運転制御装置１Ａ，１Ｂの出力手段１Ａａ，１Ｂａから出力される表示用制御信号に応じて特定表示を行う表示手段が、図１に示す第１実施形態と異なっているものであり、他の構成は第１実施形態と同等である。
【００３３】
図２に示す第２実施形態は、表示手段として乗客コンベア上の乗客の移動の邪魔にならない位置に警告灯を設けた構成にしてある。この第２実施形態では、乗客コンベア運転制御装置１Ａ，１Ｂの出力手段１Ａａ，１Ｂａから出力される表示用制御信号に応じて警告灯３Ａ等が点灯するようになっている。この警告灯３Ａが点灯している状態が制御対象の乗客コンベアとともにモニタ７の画面に映し出される。
【００３４】
図３に示す第３実施形態は、表示手段として、乗客コンベアの運転中は、この乗客コンベアの運転状態の表示が点灯し、乗客コンベアの停止中は、運転状態の表示が消灯する運転状態表示機３Ａ２を設けた構成にしてある。この第３実施形態では、乗客コンベア運転制御装置１Ａ，１Ｂの出力手段１Ａａ，１Ｂａから出力される表示用制御信号に応じて、乗客コンベアが停止中であっても運転状態表示機３Ａ２の表示が点灯可能になっている。また逆に、上述の表示用制御信号に応じて、乗客コンベアの運転中であっても運転状態表示機３Ａ２の表示の消灯が可能になっている。今は、表示用制御信号に応じて、この運転状態表示機３Ａ２の表示が点灯している状態が、制御対象の停止している乗客コンベアとともにモニタ７の画面上に映し出される。
【００３５】
上述のように構成した第２，３実施形態も、制御対象の乗客コンベアを、モニタ７の画面の警告灯３Ａ１の点灯の映像、あるいは運転状態表示機３Ａ２の点灯あるいは消灯の映像によって迅速に特定でき、上述した第１実施形態と同等の作用効果を得ることができる。
【００３６】
なお、上記では説明を容易にするために、２つの乗客コンベアＡ，Ｂだけを例に挙げて説明したが、現実には建物の大きさや設置スペース等に応じて多数の乗客コンベアが設置されることが多い。このような場合にも、上述した乗客コンベアＡ，Ｂの場合と同様に、各乗客コンベアごとにカメラと、乗客コンベア照明装置等の表示手段を備え、それぞれのカメラを図１に示されるカメラ切替機８に接続した構成にすればよい。多台数の乗客コンベアをカメラで撮影する場合には、モニタ７の画面を４分割、あるいは８分割等にし、数秒間隔で、画面全体の映像を次の映像に切替えるようにすると都合がよい。例えば４分割の画面の中に制御対象の乗客コンベアが含まれている場合、その乗客コンベアの分割画面を選択すると、その分割画面の映像が例えばモニタ７の全画面まで拡大されて固定されるようにすると都合がよい。
【００３７】
また、表示手段として第１実施形態では乗客コンベア照明装置３Ａを、第２実施形態では警告灯３Ａ１を、第３実施形態では運転状態表示機３Ａ２をそれぞれ設けてあるが、本発明は、このように乗客コンベア照明装置３Ａ、警告灯３Ａ１、運転状態表示機３Ａ２のそれぞれを単独に設けることには限定されない。それぞれの乗客コンベアごとに乗客コンベア照明装置３Ａ、警告灯３Ａ１、運転状態表示機３Ａ２のうちの２つを設けてもよく、全てを設けるようにしてもよい。すなわち本発明は、表示手段として、乗客コンベア照明装置３Ａ、警告灯３Ａ１、運転状態表示機３Ａ２のうちの少なくとも１つを設けた構成にすると都合がよい。
【図面の簡単な説明】
【００３８】
【図１】本発明に係る乗客コンベアの運転管理装置の第１実施形態の構成を示すブロック図である。
【図２】本発明の第２実施形態の構成を示すブロック図である。
【図３】本発明の第３実施形態の構成を示すブロック図である。
【符号の説明】
【００３９】
Ａ    乗客コンベア
Ｂ    乗客コンベア
１Ａ  乗客コンベア運転制御装置
１Ａａ  出力手段
１Ｂ  乗客コンベア運転制御装置
１Ｂａ  出力手段
２Ａ  音声案内装置
３Ａ  乗客コンベア照明装置
３Ａ１  警告灯
３Ａ２  運転状態表示機
４Ａ  カメラ
４Ｂ  カメラ
５    遠隔運転制御装置
５ａ  出力手段
６    通信手段
７    モニタ
７ａ  出力手段
８    カメラ切替機
８ａ  出力手段
９    乗客コンベア選択装置
９ａ  出力手段
【図１】
2007070061.tif 000003
【図２】
2007070061.tif 000004
【図３】
2007070061.tif 000005